(57)【要約】【課題】インクジェットプリンターを用いて媒体の接着を行う際に、接着部が一度開封されると、開封されたことが明確に分かるような接着方法を提供する【解決手段】印刷装置のヘッド部からインクを噴出することにより、透明な媒体上に画像を形成することと、光が照射されると硬化する接着剤により、接着剤噴出面を形成することと、印刷装置の照射部から前記接着剤噴出面に光を照射することと、前記接着剤噴出面に光が照射されることによって形成される接着面を挟んで、前記画像が形成された媒体と被接着媒体とが接着されることと、を有する。【選択図】図１０
2011121180.tif 000002
【特許請求の範囲】
【請求項１】
印刷装置のヘッド部からインクを噴出することにより、透明な媒体上に画像を形成する
ことと、
光が照射されると硬化する接着剤により、接着剤噴出面を形成することと、
印刷装置の照射部から前記接着剤噴出面に光を照射することと、
前記接着剤噴出面に光が照射されることによって形成される接着面を挟んで、前記画像
が形成された媒体と被接着媒体とが接着されることと、
を有する接着方法。
【請求項２】
請求項１に記載の接着方法であって、
前記媒体を折り曲げて、該媒体同士の接着を行う場合に、
前記接着剤噴出面が、前記ヘッド部のうち前記インクを噴出したものとは異なるノズル
から、前記媒体の折り曲げ線を挟んで前記画像と対称となる領域に前記接着剤を噴出する
ことにより形成され、
前記媒体を折り曲げて、前記画像と前記接着面とを密着させることを特徴とする接着方
法。
【請求項３】
請求項２に記載の接着方法であって、
前記接着剤噴出面及び前記画像が複数形成され、
接着面と画像とがそれぞれが隣り合う位置に形成されることを特徴とする接着方法。
【請求項４】
請求項１〜３のいずれかに記載の接着方法であって、
前記接着剤噴出面を形成する領域、及び、前記画像を形成する領域が、印刷装置制御部
のユーザーインターフェース画面を介してユーザーに設定されることを特徴とする接着方
法。
【請求項５】
請求項４に記載の接着方法であって、
ユーザーが前記媒体上に前記接着剤噴出面を形成する領域、または、前記画像を形成す
る領域を設定すると、
前記印刷装置制御部は、前記媒体の折り曲げ線を挟んで対称となる位置に、前記画像を
形成する領域、または、前記接着剤噴出面を形成する領域を設定することを特徴とする接
着方法。
【請求項６】
請求項４または５に記載の接着方法であって、
前記印刷装置制御部は、前記画像を形成する印刷データを作成する際に、該画像の鏡像
のデータを作成することを特徴とする接着方法。
【請求項７】
請求項１に記載の接着方法であって、
前記接着剤噴出面が、前記ヘッド部のうち前記インクを噴出したものとは異なるノズル
から、媒体上に形成された前記画像の上に前記接着剤を噴出することによって形成される
ことを特徴とする接着方法。
【請求項８】
（Ａ）光を照射すると硬化するインク、及び、光を照射すると硬化するインクを噴出す
るヘッド部と、
（Ｂ）光を照射する照射部と、
（Ｃ）前記ヘッド部から光が照射されると硬化するインクを噴出させて透明な媒体上に
画像を形成し、
前記ヘッド部から光が照射されると硬化する接着剤を噴出させて透明な媒体上に
接着剤噴出面を形成し、
前記照射部から前記接着剤噴出面に光を照射させて接着面を形成する制御部と、
を備える印刷装置。
【発明の詳細な説明】
【技術分野】
【０００１】
本発明は、接着方法及び印刷装置に関する。
【背景技術】
【０００２】
ノズルから液体を噴出させ、印刷を行うインクジェットプリンターが広く普及している
。インクジェットプリンターは、媒体上の任意の位置に、任意の形状の印刷面を形成する
ことができるため、インクの代わりにノズルから接着剤を噴出することで接着面を形成し
、媒体を接着することが考えられる。そこで、接着剤噴出ヘッドを設けたインクジェット
プリンターから紫外線硬化型の接着剤を媒体上に噴出し、該接着剤が塗布された媒体に紫
外線を照射して接着剤を硬化させ、接着面を形成することで、媒体を接着する方法が提案
されている（例えば特許文献１）。
【先行技術文献】
【特許文献】
【０００３】
【特許文献１】特開２００２−１８７２６９号公報
【発明の概要】
【発明が解決しようとする課題】
【０００４】
特許文献１の方法によれば、インクジェットプリンターを用いて封筒の「のりしろ」と
なる領域に紫外線硬化型の接着剤を噴出した後で、該領域に紫外線を照射して接着剤を硬
化させ、接着面を形成することで封筒の封緘をすることができる。
【０００５】
しかし、そのようにして封緘された封筒は、一度開封した場合でも、再度封をして元の
状態に戻してしまえば、開封されたものか否かの判断ができなくなるため、情報の守秘や
安全の点で問題となる。
【０００６】
本発明では、インクジェットプリンターを用いて媒体の接着を行う際に、接着部が一度
開封されると、開封されたことが明確に分かるような接着方法を提供することを目的とし
ている。
【課題を解決するための手段】
【０００７】
上記目的を達成するための主たる発明は、
印刷装置のヘッド部からインクを噴出することにより、透明な媒体上に画像を形成する
ことと、
光が照射されると硬化する接着剤により、接着剤噴出面を形成することと、
印刷装置の照射部から前記接着剤噴出面に光を照射することと、
前記接着剤噴出面に光が照射されることによって形成される接着面を挟んで、前記画像
が形成された媒体と被接着媒体とが接着されることと、
を有する接着方法である。
【０００８】
本発明の他の特徴については、本明細書及び添付図面の記載により明らかにする。
【図面の簡単な説明】
【０００９】
【図１】印刷システムの全体構成を示すブロック図である。
【図２】図２Ａはプリンターのローラー式搬送ユニットを説明する図である。図２Ｂはベルト式搬送ユニットを説明する図である。
【図３】図３Ａは、本実施形態のプリンターの構成を説明する図である。図３Ｂは、本実施形態のプリンターの構成を説明する側面図である。
【図４】ヘッドの構造を説明するための断面図である。
【図５】長方形の媒体に形成される接着面を説明するための図である。
【図６Ａ】媒体を封緘した際の接着面の断面構造を表す図である。
【図６Ｂ】展開封筒を封緘した際の接着面の断面構造を表す図である。
【図７】展開封筒を印刷する場合に形成される接着面を説明する図である。
【図８】展開封筒を封緘した際の接着面の様子を示す図である。
【図９】展開封筒を封緘した際の接着面を剥がした場合の様子を示す図である。
【図１０】展開封筒を印刷する場合に形成される接着面の変形例である。
【図１１Ａ】図１０の展開封筒を封緘した際の接着面の断面構造を表す図である。
【図１１Ｂ】図１０の展開封筒を封緘した際の接着面の様子を示す図である。
【図１２】図１０の展開封筒を封緘した際の接着面を剥がした場合の様子を示す図である。
【図１３】インターフェース画面の一例を示す図である。
【発明を実施するための形態】
【００１０】
本明細書及び添付図面の記載により、少なくとも、以下の事項が明らかとなる。
【００１１】
印刷装置のヘッド部からインクを噴出することにより、透明な媒体上に画像を形成する
ことと、光が照射されると硬化する接着剤により、接着剤噴出面を形成することと、印刷
装置の照射部から前記接着剤噴出面に光を照射することと、前記接着剤噴出面に光が照射
されることによって形成される接着面を挟んで、前記画像が形成された媒体と被接着媒体
とが接着されることと、を有する接着方法。  
このような接着方法によれば、インクジェットプリンターを用いて媒体の接着を行う際
に、接着部が一度開封されると、開封されたことが明確に分かるような接着を行うことが
できる。
【００１２】
かかる接着方法であって、前記媒体を折り曲げて、該媒体同士の接着を行う場合に、前
記接着剤噴出面が、前記ヘッド部のうち前記インクを噴出したものとは異なるノズルから
、前記媒体の折り曲げ線を挟んで前記画像と対称となる領域に前記接着剤を噴出すること
により形成され、前記媒体を折り曲げて、前記画像と前記接着面とを密着させることが望
ましい。  
このような接着方法によれば、画像と接着面とをそれぞれ、接着する際に対向するよう
な位置関係に形成することで、画像部分を確実に接着し、接着後に剥がすと画像が壊れる
ような印刷を行うことができる。
【００１３】
かかる接着方法であって、前記接着剤噴出面及び前記画像が複数形成され、接着面と画
像とがそれぞれが隣り合う位置に形成されることが望ましい。  
このような接着方法によれば、画像部分が細かく、多数印字されるため、壊された画像
を同時にすべて元の状態に戻すことは難しくなり、封筒が開封されたか否かの判断がより
明確に分かるようになる。
【００１４】
かかる接着方法であって、前記接着剤噴出面を形成する領域、及び、前記画像を形成す
る領域が、印刷装置制御部のユーザーインターフェース画面を介してユーザーに設定され
ることが望ましい。  
このような接着方法によれば、媒体上の任意の領域に画像及び接着面を形成することが
できる。
【００１５】
かかる接着方法であって、ユーザーが前記媒体上に前記接着剤噴出面を形成する領域、
または、前記画像を形成する領域を設定すると、前記印刷装置制御部は、前記媒体の折り
曲げ線を挟んで対称となる位置に、前記画像を形成する領域、または、前記接着剤噴出面
を形成する領域を設定することが望ましい。  
このような接着方法によれば、媒体を折り曲げて接着する際に、確認用の画像と接着面
とが必ず対向する位置関係となり、確認用の画像を確実に接着面に接着することができる
。
【００１６】
かかる接着方法であって、前記印刷装置制御部は、前記画像を形成する印刷データを作
成する際に、該画像の鏡像のデータを作成することが望ましい。  
このような接着方法によれば、文字を鏡像として印刷することで、封緘時に透明媒体の
裏側から見たときに、文字を正像として視認することができる。
【００１７】
かかる接着方法であって、前記接着剤噴出面が、前記ヘッド部のうち前記インクを噴出
したものとは異なるノズルから、媒体上に形成された前記画像の上に前記接着剤を噴出す
ることによって形成されることが望ましい。  
このような接着方法によれば、形成された画像の上に直接接着面を形成することができ
るため、画像と接着面との位置関係がずれないように形成することができる。
【００１８】
また、（Ａ）光を照射すると硬化するインク、及び、光を照射すると硬化するインクを
噴出するヘッド部と、（Ｂ）光を照射する照射部と、（Ｃ）前記ヘッド部から光が照射さ
れると硬化するインクを噴出させて透明な媒体上に画像を形成し、前記ヘッド部から光が
照射されると硬化する接着剤を噴出させて透明な媒体上に接着剤噴出面を形成し、前記照
射部から前記接着剤噴出面に光を照射させて接着面を形成する制御部と、を備える印刷装
置が明らかとなる。
【００１９】
＝＝＝印刷装置の基本的構成＝＝＝
発明を実施するための印刷装置の形態として、インクジェットプリンター（プリンター
１）を例に挙げて説明する。
【００２０】
＜プリンター１の構成＞
図１は、プリンター１の全体構成を示すブロック図である。  
プリンター１は、紙・布・フィルム等の媒体に文字や画像を記録（印刷）する液体噴出
装置であり、外部装置であるコンピューター１１０と通信可能に接続されている。
【００２１】
コンピューター１１０にはプリンタードライバーがインストールされている。プリンタ
ードライバーは、表示装置（不図示）にユーザーインターフェースを表示させ、アプリケ
ーションプログラムから出力された画像データを印刷データに変換させるためのプログラ
ムである。このプリンタードライバーは、フレキシブルディスクＦＤやＣＤ−ＲＯＭなど
の記録媒体（コンピューターが読み取り可能な記録媒体）に記録されている。また、プリ
ンタードライバーはインターネットを介してコンピューター１１０にダウンロードするこ
とも可能である。なお、このプログラムは、各種の機能を実現するためのコードから構成
されている。  
コンピューター１１０はプリンター１に画像を印刷させるため、印刷させる画像に応じ
た印刷データをプリンター１に出力する。
【００２２】
プリンター１は、搬送ユニット１０と、キャリッジユニット２０と、ヘッドユニット３
０と、照射ユニット４０と、検出器群５０と、コントローラー６０と、を有する。コント
ローラー６０は、外部装置であるコンピューター１１０から受信した印刷データに基づい
て各ユニットを制御し、媒体に画像を印刷する。プリンター１内の状況は検出器群５０に
よって監視されており、検出器群５０は検出結果をコントローラー６０に出力する。コン
トローラー６０は検出器群５０から出力された検出結果に基づいて各ユニットを制御する
。
【００２３】
＜搬送ユニット１０＞
搬送ユニット１０は、媒体（例えば紙Ｓなど）を所定の方向（以下、搬送方向という）
に搬送させるためのものである。ここで、搬送方向はキャリッジの移動方向と交差する方
向である。
【００２４】
一般的なインクジェットプリンターでは、図２Ａに示されるように、媒体の印刷範囲外
の余白部分を、搬送ローラー１３や排紙ローラー１５等の上下のローラーで挟み込み、該
ローラーを回転させることで媒体の搬送を行う所謂ローラー搬送タイプの搬送ユニットを
採用しているものが多い。しかし、本実施形態においては、図２Ａのようなローラー搬送
タイプの搬送ユニットを使用することは難しい。本実施形態では、媒体の余白部分（通常
ローラーに挟まれる部分）に接着剤が噴出される場合があるため、噴出された該接着剤が
搬送ローラー１３や排紙ローラー１５の媒体上面側に付着すると、それ以降のスムーズな
媒体の搬送を妨げるおそれが生じるからである。
【００２５】
このようなことから、本実施形態においては、搬送ユニット１０をベルトを用いた搬送
機構としている。図２Ｂは、本実施形態のプリンター１の搬送機構の概略を表した図であ
る。図２Ｂに示すように、ベルト搬送機構は、上流側搬送ローラー１６Ａ及び下流側搬送
ローラー１６Ｂと、ベルト１７とを有する。不図示の搬送モーターが回転すると、上流側
搬送ローラー１６Ａ及び下流側搬送ローラー１６Ｂが回転し、ベルト１７が回転する。搬
送中の媒体はベルト１７に静電吸着又はバキューム吸着されている。給紙ローラー（不図
示）によって給紙された媒体は、ベルト１７によって印刷可能な領域（ヘッドと対向する
領域）まで搬送される。印刷可能な領域を通過した紙Ｓはベルト１７によって外部へ排紙
される。搬送過程を通して、媒体表面（被印刷面）と搬送機構とは機械的に非接触の状態
に保たれるため、媒体上に接着面が形成された後でも、粘着物質が搬送機構に付着すると
いうような問題は生じにくくなる。
【００２６】
＜キャリッジユニット２０＞
図３Ａ及び図３Ｂに、本実施形態のプリンター１の概略図を示す。  
キャリッジユニット２０は、ヘッドユニット３０が取り付けられたキャリッジ２１を所
定の方向（以下、移動方向という）に移動（「走査」とも呼ばれる）させるためのもので
ある。キャリッジユニット２０は、キャリッジ２１と、キャリッジモーター２２（ＣＲモ
ーターとも言う）とを有する（図３Ａ及び図３Ｂ）。  
キャリッジ２１は、移動方向に往復移動可能であり、キャリッジモーター２２によって
駆動される。キャリッジモーター２２の動作はプリンター側のコントローラー６０により
制御される。また、キャリッジ２１は、インクを収容するインクカートリッジを着脱可能
に保持している。
【００２７】
＜ヘッドユニット３０＞
ヘッドユニット３０は、紙Ｓにインクを噴出するためのものである。ヘッドユニット３
０は、複数のノズルを有するヘッド３１を備える。このヘッド３１はキャリッジ２１に設
けられ、キャリッジ２１が移動方向に移動すると、ヘッド３１も移動方向に移動する。そ
して、ヘッド３１が移動方向に移動中にインクを断続的に噴出することによって、移動方
向に沿ったドットライン（ラスタライン）が紙に形成される。
【００２８】
図４は、ヘッド３１の構造を示した断面図である。ヘッド３１は、ケース３１１と、流
路ユニット３１２と、ピエゾ素子群ＰＺＴとを有する。ケース３１１はピエゾ素子群ＰＺ
Ｔを収納し、ケース３１１の下面に流路ユニット３１２が接合されている。流路ユニット
３１２は、流路形成板３１２aと、弾性板３１２ｂと、ノズルプレート４１２ｃとを有す
る。流路形成板３１２aには、圧力室３１２ｄとなる溝部、ノズル連通口３１２eとなる貫
通口、共通インク室３１２ｆとなる貫通口、インク供給路３１２ｇとなる溝部が形成され
ている。弾性板３１２ｂはピエゾ素子ＰＺＴの先端が接合されるアイランド部３１２ｈを
有する。そして、アイランド部３１２ｈの周囲には弾性膜３１２ｉによる弾性領域が形成
されている。インクカートリッジに貯留されたインクが、共通インク室３１２ｆを介して
、各ノズルＮｚに対応した圧力室３１２ｄに供給される。ノズルプレート３１２ｃはノズ
ルＮｚが形成されたプレートである。画像を印刷するためのカラーインク用ノズル面では
、イエローインクを噴出するイエローノズル列Ｙと、マゼンタインクを噴出するマゼンタ
ノズル列Ｍと、シアンインクを噴出するシアンノズル列Ｃと、ブラックインクを噴出する
ブラックノズル列Ｋと、が形成されている。各ノズル列では、ノズルＮｚが搬送方向に所
定間隔Ｄにて並ぶことによって構成されている。なお、本実施形態のプリンターでは後述
する紫外線硬化型の接着剤（以下、ＵＶ接着剤とも呼ぶ）を硬化させるためのＵＶ照射ユ
ニット４０を備えているため、画像や文字を印刷するＹＭＣＫのカラーインクとして、紫
外線硬化型のインク（以下、ＵＶインクとも呼ぶ）を使用することが可能である。
【００２９】
そして、本実施形態では、該カラーインク用ノズル列に加えて、光硬化領域形成用のＵ
Ｖ接着剤噴出ノズル列ＵＶが備えられている。なお、ＵＶ接着剤噴出用のヘッドは、目詰
まり防止のために、噴出する液体の性質（濃度、粘度等）に対応して、流路３１２やノズ
ル径を、カラーインク用ヘッドよりも大き目にしておくことが望ましい。
【００３０】
ピエゾ素子群ＰＺＴは、櫛歯状の複数のピエゾ素子（駆動素子）を有し、ノズルＮｚに
対応する数分だけ設けられている。ヘッド制御部ＨＣなどが実装された配線基板（不図示
）によって、ピエゾ素子に駆動信号ＣＯＭが印加され、駆動信号ＣＯＭの電位に応じてピ
エゾ素子は上下方向に伸縮する。ピエゾ素子ＰＺＴが伸縮すると、アイランド部３１２ｈ
は圧力室３１２ｄ側に押されたり、反対方向に引かれたりする。このとき、アイランド部
３１２ｈ周辺の弾性膜３１２ｉが変形し、圧力室３１２ｄ内の圧力が上昇・下降すること
により、ノズルからインク滴が噴出される。
【００３１】
＜照射ユニット４０＞
照射ユニット４０は、媒体に着弾したＵＶ接着剤に向けてＵＶを照射するものである。
媒体上に形成されたＵＶ接着剤のドットからなる光硬化領域は、照射ユニット４０からの
ＵＶ照射を受けることにより、半硬化状態となり、接着面を形成する。
【００３２】
本実施形態のプリンター１では、照射ユニット４０として、ＵＶ接着剤を半硬化させる
ためのＵＶ照射を行なう半硬化用照射部４３を備えている。なお、本実施形態において、
半硬化とは、媒体に着弾したＵＶ接着剤等からなる光硬化領域を半硬化状態まで硬化させ
、粘着性を有する接着面を形成することを言う。図３Ｂに示されるように、半硬化用照射
部４３は、ヘッド３１よりも搬送方向下流側に設けられており、移動方向の長さが印刷対
象となる媒体の幅よりも長くなっている。そして、半硬化用照射部４３は、移動すること
なく媒体に向けてＵＶを照射する。この構成により、ＵＶ接着剤ドット等によって光硬化
領域が形成された媒体が、搬送ユニット１０によって半硬化用照射部４３の下まで搬送さ
れると、半硬化用照射部４３によるＵＶの照射を受けるようになっている。
【００３３】
なお、本実施形態では、半硬化用照射部４３の光源として発光ダイオード（ＬＥＤ：Li
ght Emitting Diode）、または、ランプ（メタルハライドランプ、水銀ランプなど）を用
いることができる。ＬＥＤは入力電流の大きさを制御することによって、照射エネルギー
を容易に変更することが可能である。一方、ランプはＬＥＤよりも大きなエネルギーでＵ
Ｖ照射を行うことができるため、光硬化領域の硬化を迅速に進めたい場合等に有効である
。
【００３４】
＜検出器群５０＞
検出器群５０は、プリンター１の状況を監視するためのものである。検出器群５０には
、リニア式エンコーダ５１、ロータリー式エンコーダ５２、紙検出センサ５３、及び光学
センサ５４等が含まれる（図３Ａ及び図３Ｂ）。
【００３５】
リニア式エンコーダ５１は、キャリッジ２１の移動方向の位置を検出する。ロータリー
式エンコーダ５２は、搬送ローラー１６Ａまたは１６Ｂの回転量を検出する。紙検出セン
サ５３は、給紙中の紙Ｓの先端の位置を検出する。光学センサ５４は、キャリッジ２１に
取付けられている発光部と受光部により、対向する位置の紙Ｓの有無を検出し、例えば、
移動しながら紙の端部の位置を検出し、紙の幅を検出することができる。また、光学セン
サ５４は、状況に応じて、紙Ｓの先端（搬送方向下流側の端部であり、上端ともいう）・
後端（搬送方向上流側の端部であり、下端ともいう）も検出できる。
【００３６】
＜コントローラー６０＞
コントローラー６０は、プリンターの制御を行うための制御ユニット（制御部）である
。コントローラー６０は、インターフェース部６１と、ＣＰＵ６２と、メモリ６３と、ユ
ニット制御回路６４とを有する。
【００３７】
インターフェース部６１は、外部装置であるコンピューター１１０とプリンター１との
間でデータの送受信を行う。ＣＰＵ６２は、プリンター１の全体の制御を行うための演算
処理装置である。メモリ６３は、ＣＰＵ６２のプログラムを格納する領域や作業領域等を
確保するためのものであり、ＲＡＭ、ＥＥＰＲＯＭ等の記憶素子によって構成される。そ
して、ＣＰＵ６２は、メモリ６３に格納されているプログラムに従って、ユニット制御回
路６４を介して搬送ユニット１０等の各ユニットを制御する。
【００３８】
＜プリンタードライバーによる印刷処理について＞
プリンタードライバーは、アプリケーションプログラムから画像データを受け取り、プ
リンター１が解釈できる形式の印刷データに変換し、印刷データをプリンターに出力する
。アプリケーションプログラムから画像データを印刷データに変換する際に、プリンター
ドライバーは、解像度変換処理、色変換処理、ハーフトーン処理、ラスタライズ処理、コ
マンド付加処理などを行う。また、プリンタードライバーは、接着面形成のためのアンダ
ーコート層や光硬化領域の設定に関する処理も行う。
【００３９】
以下に、画像データから文字等を印字するためにプリンタードライバーが行う各種の処
理について説明する。接着面形成のための処理については後で別途説明する。
【００４０】
解像度変換処理は、アプリケーションプログラムから出力された画像データ（テキスト
データ、イメージデータなど）を、媒体に印刷する際の解像度（印刷解像度）に変換する
処理である。例えば、印刷解像度が７２０×７２０ｄｐｉに指定されている場合、アプリ
ケーションプログラムから受け取ったベクター形式の画像データを７２０×７２０ｄｐｉ
の解像度のビットマップ形式の画像データに変換する。
【００４１】
なお、解像度変換処理後の画像データの各画素データは、ＲＧＢ色空間により表される
各階調（例えば２５６階調）のＲＧＢデータである。ここで、画素とは、画像を構成する
単位要素であり，この画素が２次元的に並ぶことによって画像が形成される。画素データ
とは、画像を構成する単位要素の印刷データであり、例えば、紙Ｓ上に形成されるドット
の階調値などを意味する。
【００４２】
色変換処理は、ＲＧＢデータをＣＭＹＫ色空間のデータに変換する処理である。ＣＭＹ
Ｋ色空間の画像データは、プリンターが有するインクの色に対応したデータである。この
色変換処理は、ＲＧＢデータの階調値とＣＭＹＫデータの階調値とを対応づけたテーブル
（色変換ルックアップテーブルＬＵＴ）に基づいて行われる。
【００４３】
なお、色変換処理後の画素データは、ＣＭＹＫ色空間により表される２５６階調の８ビ
ットＣＭＹＫデータである。本実施形態では該データを利用して画像処理を行い、印刷さ
れる２つの画像の境界部分におけるインクのにじみを防止している。画像処理の詳細につ
いては後述する。
【００４４】
ハーフトーン処理は、高階調数のデータを、プリンターが形成可能な階調数のデータに
変換する処理である。例えば、ハーフトーン処理により、２５６階調を示すデータが、２
階調を示す１ビットデータや、４階調を示す２ビットデータに変換される。ハーフトーン
処理では、ディザ法・γ補正・誤差拡散法などが利用される。ハーフトーン処理されたデ
ータは、印刷解像度（例えば７２０×７２０ｄｐｉ）と同等の解像度である。ハーフトー
ン処理後の画像データでは、画素ごと１ビット又は２ビットの画素データが対応しており
、この画素データは各画素でのドット形成状況（ドットの有無、ドットの大きさ）を示す
データになる。
【００４５】
ラスタライズ処理は、マトリクス状に並ぶ画素データを、プリンター１に転送すべきデ
ータ順に、画素データごとに並び替える。例えば、各ノズル列のノズルの並び順に応じて
、画素データを並び替える。
【００４６】
コマンド付加処理は、ラスタライズ処理されたデータに、印刷方法に応じたコマンドデ
ータを付加する処理である。コマンドデータとしては、例えば媒体の搬送速度を示す搬送
データなどがある。
【００４７】
これらの処理を経て生成された印刷データは、プリンタードライバーによりプリンター
１に送信される。
【００４８】
＜プリンターの印刷動作＞
プリンター１の印刷動作について簡単に説明する。コントローラー６０は、コンピュー
ター１１０からインターフェース部６１を介して印刷命令を受信し、各ユニットを制御す
ることにより、給紙処理・ドット形成処理・搬送処理等を行う。
【００４９】
給紙処理は、印刷すべき紙をプリンター内に供給し、印刷開始位置（頭出し位置とも言
う）に紙を位置決めする処理である。コントローラー６０は、不図示の給紙ローラーを回
転させ、印刷すべき紙を搬送ベルト１７まで送る。続いて、上下流の搬送ローラー１６Ａ
及び１６Ｂによりベルト１７を回転させ、給紙ローラーから送られてきた紙を印刷開始位
置に位置決めする。
【００５０】
ドット形成処理は、移動方向（走査方向）に沿って移動するヘッドからインクや接着剤
を断続的に噴出させ、紙上にドットを形成する処理である。コントローラー６０は、キャ
リッジ２１を移動方向に移動させ、キャリッジ２１が移動している間に、印刷データに基
づいてヘッド３１からインク等を噴出させる。噴出されたインク滴が紙上に着弾すると、
紙上にドットが形成され、紙上には移動方向に沿った複数のドットからなるドットライン
が形成される。
【００５１】
搬送処理は、紙をヘッドに対して搬送方向に沿って相対的に移動させる処理である。コ
ントローラー６０は、上下流の搬送ローラー１６Ａ及び１６Ｂを回転させて紙を搬送方向
に搬送する。この搬送処理により、ヘッド３１は、先ほどのドット形成処理によって形成
されたドットの位置とは異なる位置に、ドットを形成することが可能になる。
【００５２】
コントローラー６０は、印刷すべきデータがなくなるまで、ドット形成処理と搬送処理
とを交互に繰り返し、ドットラインにより構成される画像を徐々に紙に印刷する。そして
、印刷すべきデータがなくなると、ベルト搬送によりその紙を排紙する。なお、排紙を行
うか否かの判断は、印刷データに含まれる排紙コマンドに基づいても良い。
【００５３】
なお、本実施形態においては、接着面を形成するために、印刷途中で媒体の搬送方向を
逆にする処理が必要となる。詳細は後で説明する。
【００５４】
＝＝＝接着面の形成について＝＝＝
＜紫外線硬化型接着剤を用いた接着方法＞
本実施形態における印刷装置では、ＵＶを照射することにより硬化するＵＶ接着剤を用
いて接着面を形成する。ＵＶ接着剤は、紫外線硬化樹脂を含有する液体であり、ＵＶの照
射を受けると紫外線硬化樹脂において光重合反応が起こることにより硬化する。本実施形
態では、媒体上の接着面を形成したい箇所に、印刷装置のヘッド部からＵＶ接着剤を噴出
し、その後、ＵＶを照射してＵＶ接着剤を硬化させることで粘着性を持たせ、接着面を形
成する。
【００５５】
接着を行う前に媒体に噴出されたＵＶ接着剤を完全硬化させてしまうと、粘着性を失っ
て媒体を接着することができなくなるため、ＵＶ照射量を調節して、ＵＶ接着剤が半硬化
の状態の接着面を形成する。そして、該接着面と被接着面とを密着させた状態で、半硬化
状態の接着面を完全に硬化させることで、接着が完了する。ＵＶ接着剤は、一度重合反応
が開始された後はＵＶ照射を終了した後でもわずかに反応が進行する。そのため、ＵＶ接
着剤が半硬化の状態で接着面と被接着面とを密着させておけば、時間の経過により完全硬
化して、媒体を固着することができる。
【００５６】
なお、より短時間でＵＶ接着剤を完全硬化させるためには、前述の半硬化した接着面を
、被接着媒体と密着させた状態で媒体ごと高出力のＵＶにさらす。こうすることで、接着
面を即時に完全硬化させることができる。特に、本実施形態では、後述するように透明な
媒体を使用するため、媒体の接着後でも透明媒体を通して接着面にＵＶを照射することが
可能であるため、媒体ごとＵＶにさらす方法を用いることは有効である。
【００５７】
＜接着面形成方法の説明＞
本実施形態の印刷装置を用いて実際に印刷を行う際に、媒体上にどのように接着面が形
成されるのかについて説明する。
【００５８】
図５に長方形の媒体１０１を用いて印刷を行う場合の例を示す。本実施形態では、透明
な媒体を透かして接着面上に画像を視認できる必要があるため、媒体１０１は紙ではなく
透明なフィルムシート等を用いる。媒体中央部の斜線部で表される領域１０２は文字や図
形等の情報が印刷される印刷領域である。なお、印刷領域１０２は、あらかじめ白や黒な
どのＵＶインクを塗布して硬化させることにより背景画像を形成しておくことで、封筒と
して封緘した時に、１０２に印字された内容を見えなくすることができる。
【００５９】
印刷領域１０２の周囲の「のりしろ」となる余白部分には、ヘッド部からＵＶインクを
噴出し、照射部からＵＶを照射して硬化させ、接着面が開封されたか否かの確認を行うた
めの画像１０３を形成する。画像１０３には「封」の文字や「×」の記号や模様等の画像
を印刷し、接着後に透明媒体を通して確認できるようにしておく。なお、文字を印刷する
際に、接着時に透明媒体の裏側から当該文字を読み取れるようにしたい場合には、当該文
字を鏡像として印刷しておくと確認がしやすくなる。例えば、図５においては、画像１０
３の領域に「ｓｅａｌ」の文字を鏡像として印刷しており、媒体の接着後に透明媒体１０
１を通して裏側から見たときに、「ｓｅａｌ」の文字が読み取れるようにしてある。
【００６０】
次に、図６Ａに媒体１０１を封緘した際の封緘部の断面の様子を示す。本実施形態では
画像１０３の上に接着剤噴出面（接着面）１０４が形成され、接着面１０４によって被接
着媒体１０５を接着することによって、媒体１０１と被接着媒体１０５とを接着する。
【００６１】
接着剤噴出面１０４は、前述の確認用画像１０３が形成された後に、媒体の搬送方向を
逆方向（搬送下流側から上流側）にして、再び印刷可能な領域まで媒体を逆搬送し、ヘッ
ド部の接着剤噴出用ノズルから画像１０３上にＵＶ接着剤を噴出することで形成される。
なお、使用するＵＶ接着剤の色に制限は無いが、ここでは画像１０３が見やすいように、
背景として光が透過しない有色のＵＶ接着剤を使用するものとして説明する。
【００６２】
その後、もう一度搬送方向を正方向（搬送上流側から下流側）に切り替えて、搬送下流
域に設置された照射部４０からＵＶを照射して接着剤噴出面１０４のＵＶ接着剤を半硬化
させ、接着面を形成する。そして、プリンターから排出された媒体１０１の接着面上に被
接着媒体１０５を密着させることで、媒体１０１と被接着媒体１０５とが接着され、印刷
領域１０２を内側にした袋状の封筒として封緘される。図６Ａのように、画像１０３及び
接着面１０４は媒体１０１及び被接着媒体１０５に挟まれる形で封緘されている。この状
態で、画像１０３は接着面１０４を背景として媒体１０１を通して（図６Ａにおいて媒体
１０１の下側から）視認することができる。また、ＵＶ接着剤及び被接着媒体１０５が透
明であれば、被接着媒体１０５を通して（上側から）視認することも可能である。
【００６３】
この方法によれば、形成された確認用の画像１０３の上に直接ＵＶ接着剤を噴出して接
着面を形成するため、画像１０３と接着面１０４との位置がずれたりすることはなく、画
像と接着面とを確実に接着することができる。したがって、封筒として封緘した後に開封
しようとすると、接着面１０４を剥がす際に画像１０３も破壊されるため、開封されたか
否かの判断を容易にすることができる。
【００６４】
なお、封緘する際の被接着媒体１０５の代わりに、図６Ｂのように媒体１０１を折り曲
げることで、見開き型の封筒（以下、展開封筒とも呼ぶ）として封緘する方法であっても
よい。
【００６５】
次に、媒体の搬送方向を切り替えずに、展開封筒を印刷する場合の例を示す。図７に長
方形の媒体２０１を展開封筒として印刷する場合の例を示す。
【００６６】
前述の場合と同様に、透明媒体２０１中央の斜線部で表される領域２０２は文字や図形
等の情報が印刷される印刷領域である。印刷領域２０２の周囲の余白上には、開封確認を
行うための画像２０３と、接着剤噴出面２０４とが形成される。折り曲げ線２０６は媒体
２０１を中央で左右（または上下）に２分割する線であり、媒体２０１を展開封筒として
封緘する際には該折り曲げ線２０６で媒体を谷折りにして接着する。本実施形態において
、確認用画像２０３と、接着剤噴出面２０４とは、折り曲げ線２０６を挟んで対称な形状
に形成される。そのため、封緘時に折り曲げ線２０６で媒体を折り曲げた際には、確認用
画像２０３と、接着剤噴出面２０４とが必ず対向する位置関係となり、接着状態では、前
述の図６Ｂの場合と同様の形で、２０３と２０４とが密着することになる。
【００６７】
確認用画像２０３及び接着剤噴出面２０４が形成された後、ＵＶを照射することでＵＶ
接着剤を半硬化状態にして接着面を形成する。そして、媒体２０１を折り曲げ線２０６で
折り曲げて、画像２０３と接着面２０4とを密着させた状態で完全硬化させることで展開
封筒として封緘を行う。図８に、媒体２０１を展開封筒として封緘した状態で媒体裏側か
ら接着面を見た場合（２０３側から２０４側を見た場合）の様子を示す。媒体２０１が透
明であるため、封緘後でも媒体の裏側から接着面確認用に印刷された画像（図７において
は「ｓｅａｌ」の文字）を確認することができる。
【００６８】
この方法では、画像２０３と接着剤噴出面２０４とが、媒体２０１を封緘する際に対向
する位置関係に形成される。したがって、画像部分が確実に接着され、封緘後に接着部を
剥がすと、該画像部分も確実に破壊されることになる。また、媒体２０１が上流から下流
へと搬送される過程で画像２０３と接着剤噴出面２０４とを１回の印刷工程（搬送過程）
で形成することが可能であり、途中で媒体を逆搬送する必要がなくなるため、全体的に印
刷時間を短縮することもできる。
【００６９】
このようにして封緘された封筒を開封しようとすると、接着面を剥がす際に、該接着面
に密着している確認用画像が破壊されてしまう。図８の状態で封緘されている展開封筒の
接着面を剥がすことによって、画像が破壊された場合の例を図９に示す。このようにして
破壊された画像２０３は、一度開封した接着面２０４を再度接着しても、元に戻すことは
できない。本実施形態では、媒体を透明としているため、再度封をしたとしても、当該破
壊された画像の状態を確認することによって封筒が開封されたか否かの判断をすることが
可能であり、印刷領域２０２に印字された情報の守秘性等を担保することができる。
【００７０】
しかし、図７で形成される接着面の場合、画像と接着面とがそれぞれ媒体の両側に均一
に形成されるため、接着面を剥がす際に、たまたまきれいに剥がせてしまい、画像があま
り破壊されなかったような場合には、一見して判断することが難しくなるおそれがある。
また、破壊された画像の状態が良好で、そのまま接着面がずれないように再接着すれば、
画像を元の状態に戻せるような場合にも、明確に判断しにくいことが考えられる。そこで
、次の変形例に示すように、確認用画像と接着面とを交互に細かく形成することで、接着
面を剥がした際に画像が細かく裁断され、元に戻しにくいような接着面を形成する方法も
ある。
【００７１】
図１０に、前述の展開封筒を印刷する場合の変形例を示す。前述の場合と同様、透明な
媒体３０１の中央の斜線部で表される領域３０２は印刷領域であり、３０２の周囲の余白
部分に確認用画像３０３と、接着剤噴出面３０４とが形成される。ただし、本実施形態に
おいては、画像３０３と接着剤噴出面３０４とがそれぞれ交互に多数形成される。例えば
、図１０において、折り曲げ線３０６を挟んで左側の領域には３０３Ｌ１〜３０３Ｌ８で
表される画像領域と、３０４Ｌ１〜３０４Ｌ８で表される接着剤噴出面とが、交互に形成
される。同様に、媒体３０１の右側の領域には画像３０３Ｒ１〜３０３Ｒ８と、接着剤噴
出面３０４Ｒ１〜３０４Ｒ８が交互に形成される。画像３０３と接着剤噴出面３０４で、
反対の記号（ＬとＲ）及び同じ数字（１〜８）が付された領域（例えば、画像３０３Ｌ２
と接着剤噴出面３０４Ｒ２）は、折り曲げ線３０６を挟んで対称な形状であり、媒体を折
り曲げた時に対向する位置関係にある。このため、封筒の封緘時には、各領域に形成され
た画像が、必ず接着面と向かい合わせとなって密着する。
【００７２】
図１１Ａに、媒体３０１の封緘時における接着面の断面の様子を示す。図１１Ａに示さ
れるように、インクにより形成された画像３０３と、ＵＶ接着剤により形成された接着面
３０４とが必ず隣り合って接触する位置関係となっている。これにより、ある領域（例え
ば３０３Ｒ７）に形成された画像は、周囲の接着剤（３０４Ｒ７、３０４Ｒ８、及び３０
４Ｌ７）により完全に固着された状態となる。そして、当該接着面上に形成された画像は
透明な媒体を通して視認することができる。例えば、３０３Ｒ７により形成された画像は
、封筒が封緘された状態で、透明な媒体３０１の下側から確認することが可能である。
【００７３】
図１１Ａで表される接着面を下側から見たときの様子を図１１Ｂに示す。この状態では
、媒体３０１を透かして接着面上に形成された画像３０３の「ｓｅａｌ」の文字がはっき
りと読み取れる。しかし、図１１Ｂに表される接着面を引き剥がそうとすると、形成され
ている画像がバラバラに破壊される。図１２に、接着面を剥がしたことによって該接着面
上の画像が破壊された場合の例を示す。接着面に印刷されていた「ｓｅａｌ」の文字はそ
れぞれが周囲を接着面に囲まれて接着されており、該接着面を無理に剥がすと、画像は図
１２のように細かく裁断されてしまう。剥がした接着面上には裁断された画像片が散在す
ることになるため、再度媒体を折り曲げて図１１Ｂのような元の状態に戻そうとしても、
全ての領域で完全に画像を再現することは非常に困難となる。また、画像と接着面とが交
互に形成されていることから、再度接着しようとする場合に、接着面に接着剤を塗布しな
おすことは難しく、一旦完全硬化した接着面に再び粘着性を得させることも難しい。
【００７４】
このようなことから、変形例のようにして封緘された封筒は、一度開封すると、透明媒
体を通して接着面に見える画像が完全に破壊され、かつ、再び元の状態に戻すことが極め
て困難であるため、封筒が開封されたか否かの判断が一目瞭然となる。
【００７５】
＝＝＝印刷データの処理について＝＝＝
印刷開始にあたり、インクや接着剤等の噴出位置や噴出量を決定するための印刷データ
がプリンタードライバーによって作成される。そして、作成された印刷データに基づいて
、コントローラー６０により、ヘッドユニット３０から適宜ＵＶインクやＵＶ接着剤を噴
出し、照射ユニット４０からＵＶ照射を行うことで、媒体上に印刷面及び接着面が形成さ
れる。通常の印刷であれば、前述の印刷処理手順に従って画像データから印刷データが作
成されるが、本実施形態では、接着面も同時に形成されるため、接着剤噴出面の設定など
について特殊な処理が必要となる。
【００７６】
＜接着剤噴出面等の決定＞
まず、媒体上で接着剤噴出面及び確認用画像を形成する領域を特定する。本実施形態に
おいて、接着剤噴出面等は、プリンター制御部であるプリンタードライバーのユーザーイ
ンターフェース画面を利用して設定することができる。
【００７７】
プリンタードライバーにはあらかじめ数種類の接着剤噴出面の領域が設定されており、
ユーザーはこれらの一つを選択することで。接着剤噴出面の特定をすることができる。例
えば、前述の展開封筒の場合であれば、Ａ４やＡ３の定型サイズの媒体に対応する余白部
分に、それぞれ図７の２０４のような接着剤噴出面が最初から設定されている。市販され
ている定型サイズのＯＨＰシートやプラスチック板等を使用して印刷を行う場合には、こ
のように、当初からプリンタードライバーに設定されているデータを利用して、接着剤噴
出面を特定することが可能である。
【００７８】
これに対して、不定形サイズの媒体を使用して印刷を行う時など、接着剤噴出面をプリ
ンタードライバーの初期設定値から選択することができない場合は、ユーザー自身が接着
剤噴出面を形成する領域の設定を行う必要がある。例えば、図１３に示すようなユーザー
インターフェース画面上で接着剤噴出面を設定できるようにしておく。その際の主な設定
項目は、接着剤噴出面の「位置」と「大きさ」であり、マウス等の指示装置を用いて媒体
上に所定の領域を指定する。
【００７９】
ここで、図７や図１０に示されるような展開封筒として印刷を行う場合には、接着面形
成用のＵＶ接着剤が噴出される接着剤噴出面と、封緘確認画像形成用のＵＶインクが噴出
される画像領域とが、別々に形成される。これらの領域は、媒体を折り曲げて接着する際
にお互いが重なり合うことによって接着されることになるため、折り曲げ線を中心として
対称な形状に形成される必要がある。したがって、ユーザーが一方の領域を設定すると、
プリンタードライバーは、折り曲げ線を挟んで左右対称となるよう他方の領域を自動的に
設定し、ユーザーによって不適切な領域が設定されたり、誤入力されたりすることがない
ようにしている。例えば、図７に示されるような接着剤噴出面及び画像を形成する場合、
ユーザーは、まず接着剤噴出面２０４を設定する。すると、プリンタードライバーが、折
り曲げ線（中心線）２０６を挟んで２０４と対称な領域２０３を設定する。また、図１０
において、ユーザーが接着剤噴出面３０４Ｒ１を設定すると、プリンタードライバーは３
０４Ｒ１と対向する位置に画像形成領域３０３Ｌ１を設定する。このように、対象となる
領域のうち、ユーザーが一方の領域を設定するだけで、プリンタードライバーによって他
方の領域も自動的に設定されるため、封筒の封緘時に接着位置がずれたり、確認用画像と
接着面が対向しなかったりする問題が生じるのを確実に防止することができる。
【００８０】
また、プリンタードライバーは、接着面が形成された時に、十分な強度で接着が行える
よう、接着剤噴出面を設定できる範囲を制限したり、その大きさ（面積）に最小値を設け
たりしておくこともできる。例えば、ユーザー入力により設定された接着剤噴出面（接着
面）の総面積が所定の値よりも小さい場合には、プリンタードライバーから警告が発せら
れる。そして、ユーザーに十分な大きさの領域を再設定させるようにすることで、不十分
な接着面が形成されるのを未然に防止し、確実に接着ができるようにする。
【００８１】
＜印刷データの作成＞
印刷領域（図１０の場合では領域３０２）にインクを噴出するための画像印刷データは
前述のとおり、プリンタードライバーによる印刷処理において、元となる画像データから
作成される。ここで、該元画像データが接着剤噴出面と重複する場合、例えば、元画像デ
ータが媒体全体に縁なしで印刷を行うようなデータであった場合には、重複部分に印刷用
のカラーインクと接着面形成用のＵＶ接着剤とを共に噴出することになる。しかし、当該
領域は接着面となる領域であり、封筒を開封するときに確実に破壊される領域であるため
、この領域に封緘部確認用画像以外の画像情報が形成されるのは適当でない。したがって
、プリンタードライバーがアプリケーションプログラムから画像データを受け取った際に
、文字等が印字される印刷領域（図１０における領域３０２）と、接着面が形成される予
定の領域（図１０における領域３０３および３０４）とが重複している場合、プリンター
ドライバーは、該画像データの印字範囲を縮小または一部を削除することにより、印刷領
域と接着剤噴出面とが重ならないように調整する。これにより、印刷領域にＵＶ接着剤が
噴出されるのを防止する。
【００８２】
そして、プリンタードライバーは、前述のようにして設定された各領域にＵＶ接着剤お
よび、ＵＶインクを噴出するためのデータを生成する。接着剤噴出面に噴出されるＵＶ接
着剤の色は、印刷データ上では考慮されないため、前述の画像処理における色変換処理を
行う必要はない。また、画素ごとに階調値を変える必要もないため、ハーフトーン処理も
不要である。したがって、接着剤噴出面として設定された領域を形成する全ての画素に、
所定の大きさのＵＶ接着剤液滴を１ドット分ずつ噴出するような印刷データが生成される
。一方、封緘部確認用の画像部分には、例えば「ｓｅａｌ」の文字や「×」などの記号を
印刷するデータが作成される。確認用画像としてどのような画像を形成するかについても
、ユーザーインターフェース画面においてユーザーが設定できるようにしておくこともで
きる。文字や記号だけではなく、色や模様を印刷してもよい。また、前述のように、文字
を鏡像として印刷するよう設定できるようにもしておく。
【００８３】
コントローラー６０は、作成された該印刷データに基づいて、ヘッドユニット３０から
媒体上にＵＶインクやＵＶ接着剤を噴出させることで、印刷領域や接着剤噴出面、および
確認用画像を形成し、形成された接着剤噴出面にＵＶを照射してＵＶ接着剤を半硬化させ
ることで接着面を形成する。そして、ＵＶ接着剤が完全に硬化する前に接着面を被接着媒
体と密着させ、完全硬化させることで、封緘を行うことができる。
【００８４】
＝＝＝まとめ＝＝＝
本実施形態では、インクジェットプリンターを用いて、一度開封すると開封したことが
一目瞭然となるような接着面を形成して、封筒等の封止印刷を行うことができる。
【００８５】
透明媒体上の「のりしろ」となる余白部分に文字や図形等の封緘部確認用画像を形成し
、ＵＶ接着剤にＵＶ照射を行って半硬化させた接着面により、当該画像部分を被接着媒体
と密着させて、封筒として封緘する。封緘後の確認用画像は、透明媒体を通して接着面上
に確認することができ、接着面を剥がして封筒を開封しようとすると、同時に画像も破壊
されるため、開封されたか否かの判断が明確になる。
【００８６】
また、媒体を折り曲げて封緘する展開封筒について接着面を形成する方法として、該媒
体の所定の領域に画像を形成し、折り曲げ線を挟んで対称となる領域に接着剤噴出面を形
成する。その後、ＵＶ照射により接着面を形成してから、媒体を折り曲げて、画像部分と
接着面とを対向・密着させることにより封緘を行う。これにより、画像は接着面と対抗す
る位置関係に形成され、接着後に該接着面を剥がすと確実に画像が破壊されるようになる
。
【００８７】
また、接着剤噴出面と確認用画像とは、互いに隣り合うように複数形成される。接着面
上の確認用画像が細かく多数形成されることになるため、接着面を剥がすと画像はバラバ
ラになり、再度接着を行っても、全ての画像を完全に元の状態に戻すことが難しくなる。
これにより、封筒が開封されたか否かを、より明確に判断することができる
また、接着剤噴出面を形成する領域及び確認用の画像を形成する領域は、プリンタード
ライバーのユーザーインターフェース画面を介して、ユーザー自身で設定することができ
る。これにより、媒体上の任意の領域に接着面を形成することが可能になる。
【００８８】
また、接着剤噴出面を形成する領域と確認用の画像を形成する領域とが、媒体の折り曲
げ線を挟んで対称に形成される必要がある場合、ユーザーがどちらか一方の領域を設定す
ると、他方の領域はプリンタードライバーによって設定される。これにより、封緘時に画
像と接着面とが対向しないような、間違った位置や大きさの領域が設定されることを防止
できる。
【００８９】
また、接着面を形成する方法として、媒体上に形成された確認用の画像の上に、プリン
ターのヘッド部からＵＶ接着剤を噴出して接着剤噴出面を形成し、該接着剤噴出面にＵＶ
照射を行うことにより接着面を形成する方法を用いる。これにより、確認用画像の上に直
接接着面を形成することができるため、該画像と接着面とが確実に接着される。したがっ
て、封緘後に接着面を開くと画像も破壊され、封筒が開封されたか否かの判断が容易にな
る。
【００９０】
また、プリンタードライバーは、確認用画像を印刷する際に、元の文字や画像等の鏡像
となるデータを作成して印刷を行うことができる。これにより、封緘された状態の媒体を
裏側から見たときに、接着面上に形成された文字をしっかりと読むことができる。
【００９１】
＝＝＝その他の実施形態＝＝＝
一実施形態としてのプリンター等を説明したが、上記の実施形態は、本発明の理解を容
易にするためのものであり、本発明を限定して解釈するためのものではない。本発明は、
その趣旨を逸脱することなく、変更、改良され得ると共に、本発明にはその等価物が含ま
れることは言うまでもない。特に、以下に述べる実施形態であっても、本発明に含まれる
ものである。
【００９２】
＜接着面の形成について＞
前述の実施形態では、１回の印刷動作で媒体上に接着面を形成していたが、接着面の形
成工程を複数回の印刷に分けて実行しても良い。例えば、１回目の印刷時に、媒体上にア
ンダーコート層を形成しておいて、一旦、プリンターから媒体を排出し、２回目の印刷時
に、光硬化領域を形成するような印刷を行ってもよい。
【００９３】
＜使用するカラーインクについて＞
前述の実施形態では、ＣＭＹＫの４色のインクを使用して印刷する例が説明されていた
が、これに限られるものではない。例えば、ライトシアン、ライトマゼンタ、ホワイト、
クリアー等、ＣＭＹＫ以外の色のインクを用いて印刷を行ってもよい。  
また、本実施形態では印刷媒体として透明なフィルムシートを使用することを想定して
おり、プリンター本体にＵＶ照射部を備えていることから、ＵＶ硬化型のカラーインクを
使用することが望ましい。
【００９４】
＜ＵＶ接着剤について＞
前述の実施形態では、紫外線（ＵＶ）の照射を受けることによって硬化する接着剤（Ｕ
Ｖ接着剤）をノズルから噴出していた。しかし、噴射する接着剤は、このような接着剤に
限られるものではなく、ＵＶ以外の他の電磁波（例えば赤外線や可視光線など）の照射を
受けることによって硬化するものであってもよい。この場合、照射ユニットから、その液
体を硬化させるための電磁波（赤外線や可視光線など）を照射するようにすればよい。
【００９５】
＜使用する媒体について＞
前述の実施形態では、使用する媒体として、透明なフィルムシートを用いて印刷、封緘
する方法が説明されていたが、これに限られるものではない。例えば、ポリエステル等の
樹脂や、プラスチック、または、それらの複合素材等、透明な媒体で、ＵＶインクを用い
た印刷ができるものであればよい。また、のりしろとなる部分のみが透明なシート状であ
って、印刷面は紙等の素材から構成される媒体であってもよい。  
さらに、媒体は長方形である必要はなく、のりしろ部分の条件を満たしていれば、定型
封筒のようなものでも封止印刷を行うことができる。
【００９６】
＜ピエゾ素子について＞
前述の実施形態では、液体を噴出させるための動作を行う素子としてピエゾ素子ＰＺＴ
を例示したが、他の素子であってもよい。例えば、発熱素子や静電アクチュエーターを用
いてもよい。
【００９７】
＜プリンタードライバーについて＞
プリンタードライバーの処理はプリンター側で行ってもよい。その場合、プリンターと
ドライバーをインストールしたＰＣとで印刷装置が構成される。
【００９８】
＜他の印刷装置について＞
前述の実施形態では、ヘッド３１をキャリッジとともに移動させるタイプのプリンター
１を例に挙げて説明したが、プリンターはヘッドが固定された、いわゆるラインプリンタ
ーであってもよい。
【符号の説明】
【００９９】
１  プリンター、
１０  搬送ユニット、１３  搬送ローラー、１５  排紙ローラー、
１６Ａ  上流側搬送ローラー、１６Ｂ  下流側搬送ローラー、１７  ベルト、
２０  キャリッジユニット、２１  キャリッジ、２２  キャリッジモーター、
３０  ヘッドユニット、３１  ヘッド、３１１  ケース、３１２  流路ユニット、
３１２ａ  流路形成板、３１２ｂ  弾性板、３１２ｃ  ノズルプレート、
３１２ｄ  圧力室、３１２e  ノズル連通口、３１２ｆ  共通インク室、
３１２ｇ  インク供給路、３１２ｈ  アイランド部、３１２ｉ  弾性膜、
４０  照射ユニット、  ４３  半硬化用照射部、５０  検出器群、
５１  リニア式エンコーダ、５２  ロータリー式エンコーダ、
５３  紙検出センサ、５４  光学センサ、６０  コントローラー、
６１  インターフェース部、６２  ＣＰＵ、６３  メモリ、
６４  ユニット制御回路、１１０  コンピューター
１０１  媒体、１０２  印刷領域、１０３  確認用画像、
１０４  接着剤噴出面、１０５  被接着媒体、
２０１  媒体（展開封筒）、２０２  印刷領域、２０３  確認用画像、
２０４  接着剤噴出面、２０６  折り曲げ線、
３０１  媒体（展開封筒）、３０２  印刷領域、３０３  確認用画像、
３０４  接着剤噴出面、３０６  折り曲げ線、
【図１】
2011121180.tif 000003
【図２】
2011121180.tif 000004
【図３】
2011121180.tif 000005
【図４】
2011121180.tif 000006
【図５】
2011121180.tif 000007
【図６Ａ】
2011121180.tif 000008
【図６Ｂ】
2011121180.tif 000009
【図７】
2011121180.tif 000010
【図８】
2011121180.tif 000011
【図９】
2011121180.tif 000012
【図１０】
2011121180.tif 000013
【図１１Ａ】
2011121180.tif 000014
【図１１Ｂ】
2011121180.tif 000015
【図１２】
2011121180.tif 000016
【図１３】
2011121180.tif 000017